(57)【要約】
【課題】
　理美容用具や付属用品等を整理整頓でき、使用者自らが組み立て、解体をすることが可能で、必要に応じて配置を自由に換えることが可能な理美容院用ワゴンを提供する。
【解決手段】
　主に枠体１と２つの側板２と収容部３と吊掛部４と受載部５により構成する。上記枠体１は、２つのU型縦枠１１と、その間に設けられた横枠１２により構成する。上記２つの側板２の両側にそれぞれ嵌合部２１を設け、嵌合部２１上に嵌合凹部２２を設ける。上記収容部３の底部両側にそれぞれ円形接合部３３を設ける。上記吊掛部４上に鉤４１を設け、該吊掛部４の両側にそれぞれ円形嵌入部４２を設ける。上記受載部５の両側にそれぞれ嵌合突部５３を設ける。
【選択図】　　図２
0003099116.tif 000002
【実用新案登録請求の範囲】
【請求項１】
　主に枠体と２つの側板と収容部と吊掛部と受載部により構成され、
　上記枠体は、２つのU型縦枠と、その間に設けられた横枠により構成されており、該横枠は２つのU型縦枠の頂部と底部を連結し、
　上記２つの側板は、それぞれ上述の枠体の２つのU型縦枠上に設けられており、該２つの側板の両側にはそれぞれ嵌合部が設けられており、それにより２つの側板は枠体の２つのU型縦枠に嵌合しており、２つの側板の一面には多数の案内溝が設けられており、それにより引き出しが設置できるようになっており、
　上記収容部は、上述の枠体の横枠上に設置されており、該収容部の一端面は多数の収容孔を具有し、収容孔の付近には凹状収容槽が設けられており、該収容部の底部両側にはそれぞれ円形接合部が設けられており、それにより収容部は枠体の横枠上に設置され、
　上記吊掛部は、上述の２つのU型縦軸の一方の軸上の、収納部の片側付近に設けられており、該吊掛部上には鉤が設けられており、該吊掛部の両側にはそれぞれ円形嵌入部が設けられており、それにより吊掛部は枠体のU型縦枠上に嵌入しており、
　上記受載部は、上述の２つのU型縦軸の一方の軸上に設けられ、該受載部の底面は凹槽を具有し、該受載部の上面には開口部が設けられており、該受載部の両側にはそれぞれ嵌合突部が設けられており、それにより受載部は枠体のU型縦枠上に嵌合されていることを特徴とする理美容院用ワゴン。
【請求項２】
　上記２つのU型縦枠の頂部は傾斜状を呈していることを特徴とする請求項１記載の理美容院用ワゴン。
【請求項３】
　枠体の底部にはキャスターを設けることができることを特徴とする請求項１記載の理美容院用ワゴン。
【請求項４】
　上記２つの側板の嵌合部上の、嵌合突部に対応する位置には、嵌合凹部が設けられていることを特徴とする請求項１記載の理美容院用ワゴン。
【請求項５】
　案内溝にはストッパーが設けられており、引き出しの引き出し縁部が該ストッパーに引っ掛かり、引き出しが抜脱しないことを特徴とする請求項１記載の理美容院用ワゴン。
【考案の詳細な説明】
【技術分野】
【０００１】
　本考案は理美容院用ワゴンに係り、特に理美容用具や付属用品等を整理整頓でき、使用者自らが組み立て、解体をすることが可能で、必要に応じて配置を自由に換えることが可能な理美容院用ワゴンに関わる。
【背景技術】
【０００２】
　従来の理美容院用ワゴンは、枠体と二つの側板と多数の引き出しによって構成され、枠体は、四つの縦枠とその間に横枠を連結させる構造で、二つの側板は枠体の両側に設置されており、二つの側板上には多数の案内溝が設けられており、引き出しは案内溝に設置されており、使用者は理美容用具や付属用品等を引き出しの中に整理する構造のものが多かった(例えば、特許文献１)。
　しかしながら、以上の従来技術によれば、理美容用具や付属用品等は種類が多いため、全て引き出しの中に収納した場合、容易に引き出しの中が乱雑になり、必要な物が見つからなくなってしまうことがある。
更に枠体上には、引き出しだけ、引き出して物を収容できる以外、その他の部分は固定されており、実際の使用状況に応じて配置を換えたりすることができなかった。
【特許文献１】実開平６−７５３０８号公報
【考案の開示】
【考案が解決しようとする課題】
【０００３】
　そこで本考案は、上記欠点を解決すべく、理美容用具や付属用品等を整理整頓でき、使用者自らが組み立て、解体をすることが可能で、必要に応じて配置を自由に換えることが可能な理美容院用ワゴンを提供することを課題とする。
【課題を解決するための手段】
【０００４】
　上記課題を解決するために、本考案の理美容院用ワゴンは、主に枠体と２つの側板と収容部と吊掛部と受載部により構成され、上記枠体は、２つのU型縦枠と、その間に設けられた横枠により構成されており、該横枠は２つのU型縦枠の頂部と底部を連結し、上記２つの側板は、それぞれ上述の枠体の２つのU型縦枠上に設けられており、該２つの側板の両側にはそれぞれ嵌合部が設けられており、それにより２つの側板は枠体の２つのU型縦枠に嵌合しており、２つの側板の一面には多数の案内溝が設けられており、それにより引き出しが設置できるようになっており、上記収容部は、上述の枠体の横枠上に設置されており、該収容部の一端面は多数の収容孔を具有し、収容孔の付近には凹状収容槽が設けられており、該収容部の底部両側にはそれぞれ円形接合部が設けられており、それにより収容部は枠体の横枠上に設置されており、上記吊掛部は、上述の２つのU型縦軸の一方の軸上の、収納部の片側付近に設けられており、該吊掛部上には鉤が設けられており、該吊掛部の両側にはそれぞれ円形嵌入部が設けられており、それにより吊掛部は枠体のU型縦枠上に嵌入し、上記受載部は、上述の２つのU型縦軸の一方の軸上に設けられており、該受載部の一面は凹槽を具有し、該受載部の一端面には開口部が設けられており、該受載部の両側にはそれぞれ嵌合突部が設けられており、それにより受載部は枠体のU型縦枠上に嵌合されている。
　上述の構造により、理美容用具や付属用品等を整理整頓でき、使用者自らが組み立て、解体をすることが可能で、必要に応じて収容部や吊掛部や受載部の配置を自由に換えることが可能である。
【考案の効果】
【０００５】
　本考案によれば、使用者の必要に応じて、吊掛部や受載部の配置を換えられることや、収容部や吊掛部や受載部を取り外して使用することもできるので、理美容用具や付属用品等を整理整頓でき、便利性が増す効果が得られる。
【考案を実施するための最良の形態】
【０００６】
　本考案の好適な実施例を図に沿って説明する。
　図１から図３に示すように、本考案は、枠体１と２つの側板２と収容部３と吊掛部４と受載部５により構成されている。
【０００７】
　上記の枠体１は２つのU型縦枠１１と、その間に設けられた横枠１２により構成されており、該横枠１２は２つのU型縦枠１１の頂部と底部を連結しており、U型縦枠１１の頂部は傾斜状を呈しており、枠体１の底部にはキャスター１３が設けられており、該キャスター１３により使用者は容易にワゴンを移動させることができる。
【０００８】
　上記２つの側板２は、それぞれ上述の枠体１の２つのU型縦枠１１上に設けられており、該２つの側板２の両側にはそれぞれ嵌合部２１が設けられており、それにより２つの側板２は枠体１の２つのU型縦枠１１に嵌合しており、２つの側板２の嵌合部２１上には嵌合凹部２２が設けられており、２つの側板２の一面には多数の案内溝２３が設けられており、それにより引き出し２４が設置できるようになっており、該引き出し２４に理美容用具や付属用品等を収納できるようになっている。
【０００９】
　図４、図５に示すように、上記案内溝２３にはストッパー２３１が設けられており、引き出し２４には引き出し縁部２４１が設けられており、引き出し縁部２４１が該ストッパー２３１に引っ掛かり、引き出しが抜脱しないようになっており、使用者が引き出し２４を案内溝２３から取り出したい時は、引き出し２４を上方に少し持ち上げれば取り出すことが出来る。
【００１０】
　図６に示すように、上記収容部３は、上述の枠体１の横枠１２上に設置されており、該収容部３の一端面は多数の収容孔３１を具有し、櫛や剃刀や鋏やドライヤー等の理美容用具６を収容することができ、収容孔３１の付近には凹状収容槽３２が設けられており、ベビーパウダーや整髪料やヘアピン等の理美容用具６を収容することができる。
【００１１】
上記収容部３の底部両側にはそれぞれ円形接合部３３が設けられており、それにより収容部３は枠体１の横枠上１２に設置されている。
【００１２】
　図６に示すように、上記吊掛部４は、上述の２つのU型縦軸１１の一方の軸上の、収納部３の片側付近に設けられており、該吊掛部４上には鉤４１が設けられており、鏡７を吊るすことが出来るようになっており、該吊掛部４の両側にはそれぞれ円形嵌入部４２が設けられており、それにより吊掛部４は枠体１のU型縦枠１１上に嵌入している。
【００１３】
　図６に示すように、上記受載部５は、上述の２つのU型縦軸１１の一方の軸上に設けられており、該受載部５の底面は凹槽５１を具有し、該受載部５の上面には開口部５２が設けられており、それにより雑誌８等を入れることができる。
【００１４】
上記受載部５の両側にはそれぞれ嵌合突部５３が設けられており、それにより受載部５は枠体１のU型縦枠１１上に嵌合されている。
【００１５】
　図１、図２、図３に示すように、組み立て時は、嵌合部２１と円形接合部３３と円形嵌入部４２と嵌合突部５３を枠体１のU型縦枠１１や横枠１２に嵌めこむ。
【図面の簡単な説明】
【００１６】
【図１】本考案の実施例における立体外観図である。
【図２】本考案の実施例における立体外観図である。
【図３】本考案の実施例における組み立ての様子を示した図である。
【図４】本考案の実施例における使用状態を示した図である。
【図５】本考案の実施例における使用状態を示した図である。
【図６】本考案の実施例における使用状態を示した図である。
【符号の説明】
【００１７】
１　　　枠体
１１　　U型縦枠
１２　　横枠
１３　　キャスター
２　　　側板
２１　　嵌合部
２２　　嵌合凹部
２３　　案内溝
２３１　ストッパー
２４　　引き出し
２４１　引き出し縁部
３　　　収容部
３１　　収容孔
３２　　凹状収容槽
３３　　円形接合部
４　　　吊掛部
４１　　鉤
４２　　円形嵌入部
５　　　受載部
５１　　凹槽
５２　　開口部
５３　　嵌合突部
６　　　理美容道具
７　　　鏡
８　　　雑誌
【図１】
0003099116.tif 000003
【図２】
0003099116.tif 000004
【図３】
0003099116.tif 000005
【図４】
0003099116.tif 000006
【図５】
0003099116.tif 000007
【図６】
0003099116.tif 000008